【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
プロセッサおよびメモリを備える第１のノードであって、前記メモリは、コンピュータ実行可能な命令を記憶し、前記コンピュータ実行可能な命令は、前記プロセッサによって実行されると、前記第１のノードのサービス層インスタンスを実装し、前記第１のノードに、
前記第１のノードにおいて、前記第１のノードの前記サービス層インスタンスとデバイス上で実行するアプリケーションとの間で確立されている通信セッションと関連付けられたコンテキスト情報を記憶することであって、前記通信セッションは、第２のノードのサービス層インスタンスと前記デバイス上で実行する前記アプリケーションとの間の通信をさらに可能にする、ことと、
前記第１のノードの前記サービス層インスタンスにおいて、前記第１のノードに記憶された前記コンテキスト情報の少なくとも一部を更新するための要求を受信することと、
前記第１のノードの前記サービス層インスタンスにおいて、前記第１のノードに記憶された前記コンテキスト情報の前記一部を更新することと、
前記第１のノードが前記第２のノードに前記コンテキスト情報の前記更新された一部を送信することと
を含む動作を行わせ、前記第２のノードのサービス層インスタンスは、前記第１のノードに記憶された前記コンテキスト情報の前記一部が更新されたことのインジケーションを受信したことに基づいて、前記第２のノードに記憶された前記コンテキスト情報を更新するように構成されている、第１のノード。
【請求項２】
前記第１のノードに記憶された前記コンテキスト情報は、前記第２のノードの前記サービス層インスタンスと前記デバイス上で実行する前記アプリケーションとの間の前記通信セッションと関連付けられたコンテキスト情報をさらに含む、請求項１に記載の第１のノード。
【請求項３】
前記第１のノードの前記サービス層インスタンスは、前記第２のノードに記憶された前記コンテキスト情報の前記一部が更新されたことのインジケーションを受信したことに基づいて、前記第１のノードに記憶された前記コンテキスト情報を更新するように構成されている、請求項２に記載の第１のノード。
【請求項４】
前記コンテキスト情報は、（ｉ）前記通信セッションの共有が行われるべきスケジュールを規定する情報と、（ｉｉ）前記通信セッションの共有が行われるべきポリシを定義する情報と、（ｉｉｉ）前記コンテキスト情報の少なくとも一部を更新するための前記要求をもたらし得るイベントを規定する情報とのうちの１つ以上のものを含む、請求項１に記載の第１のノード。
【請求項５】
前記コンテキスト情報は、（ｉ）前記通信セッションに関する通知が伝送されるべき他の通信セッションパーティシパントを識別する情報と、（ｉｉ）前記通信セッションの識別子と、（ｉｉｉ）前記通信セッションのパーティシパントによって使用されるべきセキュリティ証明書と、（ｉｖ）セッションアクティビティに関する情報と、（ｖ）前記通信セッションのパーティシパントへのメッセージのルーティングに関する情報と、（ｖｉ）前記通信セッションへのパーティシパントの場所に関する情報と、（ｖｉｉ）前記通信セッションのパーティシパントの代わりに収集および記憶されるデータと、（ｖｉｉｉ）他のパーティシパントによる前記通信セッションの発見を促進するための情報と、（ｉｘ）前記通信セッションを使用して行われるトランザクションに関連する情報と、（ｘ）前記通信セッションの下にあるアクセスネットワークセッションまたはトランスポート層セッションに関する情報とのうちの１つ以上のものをさらに含む、請求項４に記載の第１のノード。
【請求項６】
前記第１のノードの前記サービス層インスタンスは、前記デバイス上にホストされた前記アプリケーションと前記アプリケーションの第１のインスタンスとの間の通信を可能にし、前記第２のノードの前記サービス層インスタンスは、前記デバイス上にホストされた前記アプリケーションと前記アプリケーションの第２のインスタンスとの間の通信を可能にする、請求項１に記載の第１のノード。
【請求項７】
前記アプリケーションの前記第１のインスタンスおよび前記アプリケーションの前記第２のインスタンスは、複数のネットワークホップによって分離されている、請求項６に記載の第１のノード。
【請求項８】
第１のノードによって行われる方法であって、前記方法は、
前記第１のノードにおいて、前記第１のノードのサービス層インスタンスとデバイス上で実行するアプリケーションとの間で確立されている通信セッションと関連付けられたコンテキスト情報を記憶することであって、前記通信セッションは、第２のノードのサービス層インスタンスと前記デバイス上で実行する前記アプリケーションとの間の通信をさらに可能にする、ことと、
前記第１のノードの前記サービス層インスタンスにおいて、前記第１のノードに記憶された前記コンテキスト情報の少なくとも一部を更新するための要求を受信することと、
前記第１のノードの前記サービス層インスタンスにおいて、前記第１のノードに記憶された前記コンテキスト情報の前記一部を更新することと、
前記第１のノードが前記第２のノードに前記コンテキスト情報の前記更新された一部を送信することと
を含み、前記第２のノードのサービス層インスタンスは、前記第１のノードに記憶された前記コンテキスト情報の前記一部が更新されたことのインジケーションを受信したことに基づいて、前記第２のノードに記憶された前記コンテキスト情報を更新するように構成されている、方法。
【請求項９】
前記第１のノードに記憶された前記コンテキスト情報は、前記第２のノードの前記サービス層インスタンスと前記デバイス上で実行する前記アプリケーションとの間の前記通信セッションと関連付けられたコンテキスト情報をさらに含む、請求項８に記載の方法。
【請求項１０】
前記第１のノードの前記サービス層インスタンスは、前記第２のノードに記憶された前記コンテキスト情報の前記一部が更新されたことのインジケーションを受信したことに基づいて、前記第１のノードに記憶された前記コンテキスト情報を更新するように構成されている、請求項９に記載の方法。
【請求項１１】
前記コンテキスト情報は、（ｉ）前記通信セッションの共有が行われるべきスケジュールを規定する情報と、（ｉｉ）前記通信セッションの共有が行われるべきポリシを定義する情報と、（ｉｉｉ）前記コンテキスト情報の少なくとも一部を更新するための前記要求をもたらし得るイベントを規定する情報とのうちの１つ以上のものを含む、請求項８に記載の方法。
【請求項１２】
前記コンテキスト情報は、（ｉ）前記通信セッションに関する通知が伝送されるべき他の通信セッションパーティシパントを識別する情報と、（ｉｉ）前記通信セッションの識別子と、（ｉｉｉ）前記通信セッションのパーティシパントによって使用されるべきセキュリティ証明書と、（ｉｖ）セッションアクティビティに関する情報と、（ｖ）前記通信セッションのパーティシパントへのメッセージのルーティングに関する情報と、（ｖｉ）前記通信セッションへのパーティシパントの場所に関する情報と、（ｖｉｉ）前記通信セッションのパーティシパントの代わりに収集および記憶されるデータと、（ｖｉｉｉ）他のパーティシパントによる前記通信セッションの発見を促進するための情報と、（ｉｘ）前記通信セッションを使用して行われるトランザクションに関連する情報と、（ｘ）前記通信セッションの下にあるアクセスネットワークセッションまたはトランスポート層セッションに関する情報とのうちの１つ以上のものをさらに含む、請求項１１に記載の方法。
【請求項１３】
前記第１のノードの前記サービス層インスタンスは、前記デバイス上にホストされた前記アプリケーションと前記アプリケーションの第１のインスタンスとの間の通信を可能にし、前記第２のノードの前記サービス層インスタンスは、前記デバイス上にホストされた前記アプリケーションと前記アプリケーションの第２のインスタンスとの間の通信を可能にする、請求項８に記載の方法。
【請求項１４】
前記アプリケーションの前記第１のインスタンスおよび前記アプリケーションの前記第２のインスタンスは、複数のネットワークホップによって分離されている、請求項１３に記載の方法。
【請求項１５】
コンピュータ実行可能な命令を含むコンピュータ読み取り可能な記憶媒体であって、前記コンピュータ実行可能な命令は、第１のノードのプロセッサによって実行されると、前記第１のノードのサービス層インスタンスを実装し、前記第１のノードに、
前記第１のノードにおいて、前記第１のノードの前記サービス層インスタンスとデバイス上で実行するアプリケーションとの間で確立されている通信セッションと関連付けられたコンテキスト情報を記憶することであって、前記通信セッションは、第２のノードのサービス層インスタンスと前記デバイス上で実行する前記アプリケーションとの間の通信をさらに可能にする、ことと、
前記第１のノードの前記サービス層インスタンスにおいて、前記第１のノードに記憶された前記コンテキスト情報の少なくとも一部を更新するための要求を受信することと、
前記第１のノードの前記サービス層インスタンスにおいて、前記第１のノードに記憶された前記コンテキスト情報の前記一部を更新することと、
前記第１のノードが前記第２のノードに前記コンテキスト情報の前記更新された一部を送信することと
を含む動作を行わせ、前記第２のノードのサービス層インスタンスは、前記第１のノードに記憶された前記コンテキスト情報の前記一部が更新されたことのインジケーションを受信したことに基づいて、前記第２のノードに記憶された前記コンテキスト情報を更新するように構成されている、コンピュータ読み取り可能な記憶媒体。
【請求項１６】
前記第１のノードに記憶された前記コンテキスト情報は、前記第２のノードの前記サービス層インスタンスと前記デバイス上で実行する前記アプリケーションとの間の前記通信セッションと関連付けられたコンテキスト情報をさらに含む、請求項１５に記載のコンピュータ読み取り可能な記憶媒体。
【請求項１７】
前記第１のノードの前記サービス層インスタンスは、前記第２のノードに記憶された前記コンテキスト情報の前記一部が更新されたことのインジケーションを受信したことに基づいて、前記第１のノードに記憶された前記コンテキスト情報を更新するように構成されている、請求項１６に記載のコンピュータ読み取り可能な記憶媒体。
【請求項１８】
前記コンテキスト情報は、（ｉ）前記通信セッションの共有が行われるべきスケジュールを規定する情報と、（ｉｉ）前記通信セッションの共有が行われるべきポリシを定義する情報と、（ｉｉｉ）前記コンテキスト情報の少なくとも一部を更新するための前記要求をもたらし得るイベントを規定する情報とのうちの１つ以上のものを含む、請求項１５に記載のコンピュータ読み取り可能な記憶媒体。
【請求項１９】
前記コンテキスト情報は、（ｉ）前記通信セッションに関する通知が伝送されるべき他の通信セッションパーティシパントを識別する情報と、（ｉｉ）前記通信セッションの識別子と、（ｉｉｉ）前記通信セッションのパーティシパントによって使用されるべきセキュリティ証明書と、（ｉｖ）セッションアクティビティに関する情報と、（ｖ）前記通信セッションのパーティシパントへのメッセージのルーティングに関する情報と、（ｖｉ）前記通信セッションへのパーティシパントの場所に関する情報と、（ｖｉｉ）前記通信セッションのパーティシパントの代わりに収集および記憶されるデータと、（ｖｉｉｉ）他のパーティシパントによる前記通信セッションの発見を促進するための情報と、（ｉｘ）前記通信セッションを使用して行われるトランザクションに関連する情報と、（ｘ）前記通信セッションの下にあるアクセスネットワークセッションまたはトランスポート層セッションに関する情報とのうちの１つ以上のものをさらに含む、請求項１８に記載のコンピュータ読み取り可能な記憶媒体。
【請求項２０】
前記第１のノードの前記サービス層インスタンスは、前記デバイス上にホストされた前記アプリケーションと前記アプリケーションの第１のインスタンスとの間の通信を可能にし、前記第２のノードの前記サービス層インスタンスは、前記デバイス上にホストされた前記アプリケーションと前記アプリケーションの第２のインスタンスとの間の通信を可能にする、請求項１５に記載のコンピュータ読み取り可能な記憶媒体。